(57)【要約】【課題】シールド性をより完璧とするグランド板を有する回路基板用電気コネクタを提供することを目的とする。【解決手段】相手コネクタの嵌合受入れのためにハウジングの長手方向に延び上方に開口せる該ハウジングの嵌合凹部１４を形成する長手方向における一つの側壁部の内側面１４Ｃに相手端子との接続のための端子２０の接触部２２Ａそして外側面に回路基板との接続のための接続部２３がそれぞれ配列されており、上記長手方向におけるハウジングの外側面に沿って、グランド板３０がハウジング１１に取りつけられている電気コネクタにおいて、グランド板３０は少なくとも上記長手方向におけるハウジングの両外側面に沿って、設けられ、一方のグランド板３２は、端子の接続部側にあって、ハウジングの外側面との間に間隔をもって配され、該間隔の範囲で接続部の回路基板との接続を許容する空間を形成している。【選択図】図３
2007115575.tif 000002
【特許請求の範囲】
【請求項１】
回路基板上に取りつけられる電気コネクタであって、相手コネクタの嵌合受入れのためにハウジングの長手方向に延び上方に開口せる該ハウジングの嵌合凹部を形成する長手方向における一つの側壁部の内側面に相手端子との接続のための端子の接触部そして外側面に回路基板との接続のための接続部がそれぞれ配列されており、上記長手方向におけるハウジングの外側面に沿って、グランド板がハウジングに取りつけられている電気コネクタにおいて、グランド板は少なくとも上記長手方向におけるハウジングの両外側面に沿って設けられ、一方のグランド板は、端子の接続部側にあって、ハウジングの外側面との間に間隔をもって配され、該間隔の範囲で接続部の回路基板との接続を許容する空間を形成していることを特徴とする回路基板用電気コネクタ。
【請求項２】
一方のグランド板は相手グランド板との接触のための接触部を有していることとする請求項１に記載の回路基板用電気コネクタ。
【請求項３】
グランド板は、ハウジングの長手方向両端部で該ハウジングへ上方から取付けられる二つの取付部と、上記両端部の間にわたってハウジングの両側側面にそれぞれ面する一方そして他方のグランド本体部と、それぞれのグランド本体部を上記両端部で取付部と連結している連結部とを有し、上記取付部、上記グランド本体部そして上記連結部とが一つの金属板を加工して作られていることとする請求項１に記載の回路基板用電気コネクタ。
【請求項４】
取付部はハウジングに対して嵌着されるようにして形成され、連結部は回路基板に接面するように形成されていることとする請求項３に記載の回路基板用電気コネクタ。
【請求項５】
グランド板は、少なくとも上記長手方向におけるハウジングの両外側面に設けられ、相手コネクタとの嵌合状態で、上記長手方向に対し直角で回路基板に対して平行な方向に上記相手コネクタから延出するケーブルの延出方向側の上記グランド板が少なくとも上記ケーブルとの干渉を回避する切欠部が形成されていることとする請求項１又は請求項２に記載の回路基板用電気コネクタ。
【請求項６】
一方のグランド板の接触部はハウジングの対応外側面の方へ弯曲された弾性舌片で形成され、該弾性舌片が相手グランド板と弾圧接触するようになっていることとする請求項２に記載の回路基板用電気コネクタ。
【発明の詳細な説明】
【技術分野】
【０００１】
本発明は、回路基板に取りつけられて使用される回路基板用電気コネクタに関する。
【背景技術】
【０００２】
この種のコネクタとしては、特許文献１に開示されているコネクタが知られている。
【０００３】
この特許文献１のコネクタは、添付図面の図７に見られるように、該コネクタ５０のハウジング５１の溝に端子５２の被保持部５２Ａが圧入されることによりハウジング５１により保持され、一端（図にて左端）側がＵ字状に屈曲されてその自由端に接触部５２Ｂを有し、他端側がＬ字状をなしてハウジング外に突出し下端部で接続部５２Ｃを形成している。かかるコネクタ５０は、回路基板Ｐ上に配されて、上記接続部５２Ｃが回路基板Ｐの対応回路部Ｐ１と半田接続される。
【０００４】
一方、上記コネクタ５０に嵌合接続される相手コネクタ６０は、右方に延出する同軸ケーブルＣを絶縁体６１の部分６１Ａとカバー状のグランド板６２との間で狭持し、絶縁体６１の他の部分６１Ｂで上記同軸ケーブルＣの屈曲された中心導体Ｃ１及びＵ字状の端子６３を保持している。
【０００５】
上記端子６３の一端６３Ａは上記中心導体Ｃ１と絶縁体６１の他の部分６１Ｂとの間にあって中心導体Ｃ１と接触し、他端は、二種の舌片６３Ｂ，６３Ｃに分枝されていて、舌片６３Ｂが上記中心導体Ｃ１と、そして舌片６３Ｃが上記コネクタ５０の端子５２の接触部５２Ｂと接触している。
【０００６】
上記コネクタ６０のグランド板６２は、上板部６２Ａとハウジングの左側面に沿う側板部６２Ｂとを有している。この側板部６２Ｂは回路基板Ｐの面の位置にまで及んでいる。
【特許文献１】特開２０００−３３１７３１
【発明の開示】
【発明が解決しようとする課題】
【０００７】
図７に示された特許文献１のコネクタは、コネクタ５０にコネクタ６０が嵌合接続された際には、コネクタ６０のグランド板６２により、周囲の多くの部分がシールドされる。
【０００８】
しかしながら、コネクタ５０における接続部５２Ｃの位置では、コネクタ５０にもそしてコネクタ６０にもグランド板が存在しておらず、そこからノイズが漏れる。
【０００９】
本発明は、このような事情に鑑み、端子の接続部でもシールドすることを可能とする回路基板用電気コネクタを提供することを目的とする。
【課題を解決するための手段】
【００１０】
本発明は、回路基板上に取りつけられる電気コネクタであって、相手コネクタの嵌合受入れのためにハウジングの長手方向に延び上方に開口せる該ハウジングの嵌合凹部を形成する長手方向における一つの側壁部の内側面に相手端子との接続のための端子の接触部そして外側面に回路基板との接続のための接続部がそれぞれ配列されており、上記長手方向におけるハウジングの外側面に沿って、グランド板がハウジングに取りつけられている電気コネクタに関する。
【００１１】
かかる電気コネクタにおいて、本発明では、グランド板は少なくとも上記長手方向におけるハウジングの両外側面に沿って設けられ、一方のグランド板は、端子の接続部側にあって、ハウジングの外側面との間に間隔をもって配され、該間隔の範囲で接続部の回路基板との接続を許容する空間を形成していることを特徴としている。
【００１２】
このような構成の本発明によれば、少なくともハウジングの外面の殆どの領域を占める長手方向での両外側面を覆うので、シールドがほぼ完全に行われる。その際、端子の接続部は、グランド板とハウジングの外側面との間にあり、シールドの支障とならない。
【００１３】
本発明において、一方のグランド板は相手グランド板との接触のための接触部を有していることが好ましい。
【００１４】
こうすることにより、グランド板は相手グランド板と共にシールド効果を向上させかつ上記接触部を経て接地が容易になされる。
【００１５】
本発明において、グランド板は、ハウジングの長手方向両端部で該ハウジングへ上方から取付けられる二つの取付部と、上記両端部の間にわたってハウジングの両側側面にそれぞれ面する一方そして他方のグランド本体部と、それぞれのグランド本体部を上記両端部で取付部と連結している連結部とを有し、上記取付部、上記グランド本体部そして上記連結部とが一つの金属板を加工して作られているようにすることができる。
【００１６】
こうすることにより、グランドは一部材として作ることができ、製造が簡単になると共に、部品点数を減らせて部品の管理が楽になる。
【００１７】
上記取付部はハウジングに対して嵌着されるようにして形成され、連結部は回路基板に接面するように形成されていることが好ましい。そうすることにより、取付部でのハウジングへの取付けが容易となり、連結部での回路基板との接面によりここで半田等を行い、コネクタの回路基板上での保持が強大となり、グランドが確実となる。
【００１８】
本発明において、グランド板は、少なくとも上記長手方向におけるハウジングの両外側面に設けられ、相手コネクタとの嵌合状態で、上記長手方向に対し直角で回路基板に対して平行な方向に上記相手コネクタから延出するケーブルの延出方向側の上記グランド板が少なくとも上記ケーブルとの干渉を回避する切欠部が形成されているようにすることができる。
【００１９】
こうすれば、相手コネクタが回路基板の面に対して平行なケーブルを有する。いわゆるＬ型コネクタであっても、上記ケーブルの存在によりシールドがなされていなかった従来のコネクタに比し、シールド効果が大幅に向上する。
【００２０】
本発明において、一方のグランド板の接触部はハウジングの対応外側面の方へ弯曲された弾性舌片で形成され、該弾性舌片が相手グランド板と弾圧接触するようにすることができる。上記弾性舌片は、グランド板とハウジングの外側面との間を利用して設けられるので、弾性舌片のために上記間隔が増大するということはない。
【発明の効果】
【００２１】
本発明は、以上のように、ハウジングの長手方向に延びる両外側面に面してそれぞれグランド板を設けることとしたので、相手コネクタのグランド板と相俟って、ほぼ完璧に両コネクタをグランド板で包囲し、シールド効果を向上させる。その際、一方のグランド板は、端子の接続部に対して外側に位置し、グランド板とハウジング外側面との間の間隔で上記接続部の回路基板との接続を許容しているので、接続部側でのシールド効果をほぼ完璧に保つことができる。
【発明を実施するための最良の形態】
【００２２】
以下、添付図面の図１ないし図６にもとづき、本発明に係る回路基板用電気コネクタの一実施形態を説明する。
【００２３】
図１は本実施形態のコネクタの全体を示す斜視図、図２はその平面図を示し、両図において、コネクタに取りつけられたグランド板はコネクタの長手方向左半分で図示が省略されている。
【００２４】
このコネクタ１は、回路基板（図示せず）上に配設されるようになっており、図示のごとく左右に長く延びている。このコネクタ１は、コネクタ本体１０に選択的にグランド板３０が取りつけられて成っている。
【００２５】
コネクタ本体１０は、電気絶縁材料で作られた左右に長く延びるハウジング１１の長手方向に位置する両外側面１２，１３のうちの一方の外側面１２の側に複数の端子２０が定間隔で植設されている。
【００２６】
上記ハウジング１１は、上記長手方向両端近傍にまで及んで上方に開口する嵌合凹部１４が形成されていて、この嵌合凹部１４を形成する周壁のうち、上記長手方向に延びる一方の側壁部１５に端子２０が配列されている。上記嵌合凹部１４は、上記長手方向に直角方向である幅方向中央部に位置しており、図２におけるIII-III線断面図を示す図３にも見られるように、ハウジング１１に薄い底壁１１Ａを残す程度まで深く形成されている。上記嵌合凹部１４は、図３にて、上方開口１４Ａの位置から上記底壁１１Ａの上面たる底部１４Ｂに至る上下範囲で、上記一方の側壁部１５側の内側面１４Ｃから没入した収容溝１６が端子に対応した位置に形成されている。この収容溝１６は、後述の端子の弾性腕部の殆どの部分を収容する没入深さとなっている。上記側壁部１５の上端面そして外側面にも、上記収容溝１６につながる浅い溝１７が形成されている。
【００２７】
上記収容溝１６そして溝１７でハウジング１１へ取りつけられる端子２０は、金属の細い板帯体を板面に対して屈曲形成されており、その板面に対して直角な面での断面形状が、図３に見られるように、略Ｓ字状をなしている。この端子は、逆Ｕ字状部分とＵ字状部分とを連続して有することにより、全体として略Ｓ字状をなしている。図３において、端子２０は、逆Ｕ字状をなす嵌着部２１と、これにつながりＵ字状をなす弾性腕部２２と、上記嵌着部２１の下端部から延出する接続部２３とを有している。
【００２８】
上記嵌着部２１は、上方から収容溝１６へ圧力嵌めされて、端子２０をハウジング１１に固定保持させる。ハウジング１１外で該嵌着部２１の下端から横方向に屈曲され延出された接続部２３は、ハウジング１１の底面と同レベルにあり、コネクタが回路基板上に配されたとき、該回路基板の対応回路部と接面するようになっている。
【００２９】
弾性腕部２２は、上記収容溝１６に嵌着されている上記嵌着部２１の下部から屈曲して上方に向け延びており、この部分を可撓とする弾性を有している。この弾性腕部２２の上端側たる自由端部は、上記収容溝１６外に向け凸状弯曲せられた接触部２２Ａを有している。この接触部２２Ａは、上記嵌合凹部１４の内部へ向け内側面１４Ｃから若干突出していて、該嵌合凹部１４へ相手コネクタが嵌合されたときには、相手コネクタから押圧力を受けて収容溝１６の内方へ向け内側面１４Ｃの位置まで弾性変位する。
【００３０】
ハウジング外側面部分で上記端子２０は嵌着部２１が溝１７に収められている部分が、該溝１７の開口縁よりも若干突出していて、相手コネクタの端子と接触する副接触部２１Ａを形成し、好ましい形態として、相手コネクタとの接触を確実ならしめかつロックの機能をもたらす突部２１Ａ１が形成されている。
【００３１】
上記ハウジング１１は、その長手方向両端部に、図２におけるIV-IV線断面を示す図４に見られるようなグランド板取付部１１Ｂを有している。このグランド板取付部１１Ｂに取付けられるグランド板３０は、例えば、一枚の金属板を抜き加工そして屈曲加工して作られており、図１、図２にも見られるように、ハウジング１１のそれぞれの外側面１２，１３に沿って位置するグランド本体部３１，３２と、上記グランド本体部３１，３２と取付部３３とを連結する連結部３４，３５とを有している。この連結部３４，３５は、上記ハウジング１１の長手方向両端部位置で回路基板に接面するように、グランド板取付部１１Ｂに取りつけられる取付部３３の下部と、グランド本体部３１，３２の下部とで両者を連結している。この実施形態では、連結部３５には取付孔３６が形成されている。
【００３２】
上記グランド本体部３１は、ハウジング１１の他方の外側面１３とほぼ平行な面を有し、上記外側面１３との間に間隔を有している。このグランド本体部３１の上縁は上記ハウジング１１の上面とほぼ同じレベルにあり、上記長手方向両端部においてのみ該グランド本体部３１の上縁から上方に弯曲突出部３１Ａが設けられている。したがって、グランド本体部３１の上記上縁は、相手コネクタが嵌合した際に、このグランド本体部３１の側で相手コネクタから水平方向に延出するケーブルとは干渉しない。すなわち、上記上縁がハウジング１１の上面位置にあるので、その上方位置での上記ケーブルの延出を許容する。しかしながら、グランド板によるシールド効果をさらに向上させるためには、ケーブルが延出する位置でのみ切欠部を形成して、上縁をさらに上方まで、例えば、上記弯曲突部を上記切欠部位置を除いて長手方向全範囲に形成することとしてもよい。
【００３３】
グランド本体部３２は、上記グランド本体部３１における場合と同様に、ハウジング１１の一方の外側面１２とほぼ平行な面を有し、該外側面１２との間に間隔を形成している。この間隔は、グランド本体部３１の場合の間隔よりも、大きく設定されている。このグランド本体部３２とハウジング１１の外側面１２との間の間隔に、上記端子２０の接続部２３が位置している。グランド本体部３２と取付部３３とは、上記長手方向両端部、すなわち同方向で端子不在域で連結部３５により連結されているので、グランド本体部３２と、取付部３３との間は空間をなしていて、上記接続部２３は回路基板の対応回路部と接面することが可能となっている。上記グランド本体部３２は、その上縁で、内方（ハウジング側）に向けた二種の屈曲部３２Ａ．３２Ｂを上記長手方向で交互に有している。一方の屈曲部３２Ａは幅広で、他方の屈曲部３２Ｂは幅狭である。この他方の屈曲部３２Ｂは、一方の屈曲部３２Ａよりも内方に向っていて、斜めに延びて弾性舌片を形成し、該弾性舌片は、相手コネクタの嵌合時に、相手グランド板に対して弾圧接触する接触部を形成している。
【００３４】
上記取付部３３は、ハウジング１１の長手方向両端部に設けられたグランド板取付部１１Ｂに嵌着されるように、図４にみられるごとく、逆Ｕ字状をなしている。この逆Ｕ字の取付部３３の外面は、相手コネクタの対応せる係合部が上方から嵌められて係合する部位ともなっている。このような取付部３３は、その両方の肩部外面にロック部を有している。このロック部は突起状をなし、相手コネクタのケーブルが延出する側に位置する主ロック部３７Ａと、これとは反対側に位置する副ロック部３７Ｂとから成っている。主ロック部３７Ａの突出量は副ロック部３７Ｂの突出量よりも大きい。すなわち、相手コネクタへの対応ロック部との係合量が、主ロック部３７Ａの方で大きく設定されている。この突出量の差は、相手コネクタがケーブルをもち上げる力によって外されようとするときに、相手コネクタから受ける力の大きさの差に比例して設定される。
【００３５】
上記ハウジング１１は、他方の外側面１３の側で、ハウジング１１の長手方向中央位置に、吸着部４０を有している。この吸着部４０は、コネクタを回路基板上の所定位置へ自動機により実装配置される際に、自動機の吸着部材により吸着される部位を形成し、上面４０Ａが、ハウジングの上面と同レベル面をなしハウジングの幅方向に突出している。この突出した吸着部４０の側面４０Ｂは、記述したグランド本体部３１に至近している。上記吸着部４０の上面には、上記長手方向両端位置に補助吸着部材の取付けのための取付孔４１が形成されている。上記吸着部４０の上面４０Ａのみでは、自動機に対応できないときに、吸着面を拡大するための補助吸着部材を上記取付孔４１にて取付ける。吸着部４０は相手コネクタの幅範囲内に設けられるのが好ましい。
【００３６】
このような本実施形態のコネクタに嵌合される相手コネクタは、図６に示されているように構成される。図６はこの相手コネクタが嵌合された本実施形態のコネクタの使用状態を示す図であり、図６（Ａ）は本実施形態のコネクタがグランド板なしで用いられたとき、図６（Ｂ）はグランド板付きとして用いられたときを示す。
【００３７】
図６（Ａ）において、二点鎖線で示されるケーブル付き相手コネクタＣの、絶縁体とグランド板Ｃ１の一部との間で保持されている同軸ケーブルＣ２は横方向で右方へ延びている。ケーブルＣ２の中心導体Ｃ３は端子Ｃ４に結線されている。該端子は逆Ｕ字状部とＵ字状部とを備え全体として略Ｓ字状をなしている。コネクタの外側には上記グランド板Ｃ１が取りつけられており、該グランド板Ｃ１は、コネクタの上面と、ケーブル延出側の側面を除く外側面とを覆っている。かかる相手コネクタＣは、上記端子Ｃ４の逆Ｕ字状部分の内部に本実施形態のコネクタの端子２０を受入れ、端子Ｃ４のＵ字状部分が本実施形態のコネクタの嵌合凹部１４へ入り込む。
【００３８】
このような本実施形態のコネクタは、次の要領で使用される。
【００３９】
先ず、自動機の吸着部材により、コネクタ１の吸着部４０（吸着面４０Ａ）にて該コネクタ１を吸着し、これを回路基板上の所定位置へもたらす。しかる後、端子の接続部２３が半田により回路基板の対応回路部と接続される。コネクタ１は、グランド板３０が取つけられている状態と、グランド板なし（相手グランドを基板に接続させる部分のみ有する）の状態と、いずれでも使用可能である。グランド板３０は、コネクタの回路基板への配置の前後のいずれにおいても取付け可能である。グランド板３０の使用時には、図４に示される取付孔３６にて、半田等により回路基板へ固定しておくとよい。
【００４０】
次に、図６（Ａ），（Ｂ）に見られるように、相手コネクタＣをコネクタ１へ嵌合する。相手コネクタＣの端子Ｃ４は、その逆Ｕ字状部分でコネクタ１の端子２０をかかえ込むようにして接触する。すなわち、端子Ｃ４は、逆Ｕ字状部分の一方の直線部でコネクタ１の端子２０の副接触部２１Ａと接触すると共に、対向せる他方の直線部分で接触部２２Ａを弾圧する。この接触部２２Ａは弾圧されて収容溝１６内へ没する。また、相手コネクタの端子Ｃ４のＵ字状部分は、嵌合凹部１４の底部まで進入する。すなわち、この端子Ｃ４のＵ字状部分は、コネクタ１の端子の弾性腕1部２２とほぼ同一位置まで下方に進入する。その結果、接触部２２Ａと接触する上記直線部分は嵌合過程での接触路長が長くなると共に、嵌合時の両コネクタの高さを小さく抑えることができる。
【００４１】
コネクタ１にグランド板３０が取付けられているときには、図６（Ｂ）に見られるように、グランド本体部３１，３２がコネクタ１の長手方向に延びる広い範囲で側方から該コネクタ１を覆う。上方では、相手コネクタＣのグランド板Ｃ１が両コネクタＣ，１を覆う。コネクタ１のグランド板３０は、弾性舌片として形成された接触部３２Ｂが相手コネクタＣのグランド板Ｃ１と接触しここで互いに導通される。
【００４２】
相手コネクタＣから延出するケーブルＣ２は、グランド本体部３１の上縁の上方を経てグランド板と干渉することなく、引き出される。
【００４３】
相手コネクタＣは、図示しないロック部がコネクタ１の突起状のロック部３７Ａ，３７Ｂと係合し、コネクタ同士の不用意な抜けが防止される。ケーブルＣ２が意図しない力を上方に受けたときには、図５に見られるように、該ケーブルＣ２に近い方のロック部３７Ａが対向せるロック部３７Ｂに比し大きな力を受ける。しかし、ロック部３７Ａはロック部３７Ｂよりも係止量が大きいので、上述のような力の配分に応じて適切にコネクタの外れに対坑できる。
【００４４】
相手コネクタＣを離脱の際は、ロック部３７Ｂ側より治具を用いて行うのが好ましい。又、本発明では、グランド板３０の長手方向両端に設けられているが、ハウジング１１に設けられても良い。相手コネクタのロック部が相手グランド板に設けられていれば、グランド板３０に設けられたロック部３７Ａ，３７Ｂと導通し、なお良い。
【図面の簡単な説明】
【００４５】
【図１】本発明の一実施形態としてのグランド板付きコネクタの斜視図であり、コネクタの長手方向左半分でグランド板の図示を省略した図である。
【図２】図１のコネクタの平面図であり、図１と同様に、コネクタの長手方向左半分でグランド板の図示を省略している。
【図３】図２におけるIII−III線断面図である。
【図４】図２におけるIV-IV線断面図である。
【図５】図１のコネクタを相手コネクタと共に示す側面図である。
【図６】図１のコネクタを相手コネクタの嵌合時で示す端子位置における断面図であり（Ａ）はグランド板なし、（Ｂ）はグランド板付きの状態である。
【図７】従来のコネクタの断面図である。
【符号の説明】
【００４６】
１  コネクタ                    ３０グランド板
１１  ハウジング                ３１，３２  グランド本体部
１４  嵌合凹部                  ３２Ｂ  弾性舌片
２０  端子                      ３３  取付部  
２２Ａ  接触部                  ３４，３５  連結部
２３  接続部      
【図１】
2007115575.tif 000003
【図２】
2007115575.tif 000004
【図３】
2007115575.tif 000005
【図４】
2007115575.tif 000006
【図５】
2007115575.tif 000007
【図６】
2007115575.tif 000008
【図７】
2007115575.tif 000009